(57)【特許請求の範囲】
【請求項１】
ボイラーの缶体などの２次側に接続する接続管（１０）と圧力を外部に逃す排水管（１１）とを具備する弁箱（１）の上面側には、前記接続管（１０）と連通する２次室（ｗ）を形成し、その２次室の外面側に該２次室（ｗ）内の圧力を感知して上下に作動するダイヤフラム（２）を組付け、そのダイヤフラム（２）の下面側に弁体（３）を該ダイヤフラム（２）と共に上下に動くよう一体または一体的に設け、その弁体（３）の下面側に、弾性資材よりなるシート（３０）を装設し、ダイヤフラム（２）の外面側に配位して弁箱（１）に組付けるバネケース（５）内には、前記弁体（３）をバネ圧により下方に押し下げる圧力設定用のバネ（５０）を配設し、この弁体（３）の下方位置における弁箱（１）の上面側に、上端側が開放口により前記２次室（ｗ）に連通し下端側が底壁に設けた連通口（１０ａ）を介して排水管（１１）に連通する上下方向の筒状部（１２）を装設し、その筒状部（１２）の上方の開放口の周縁部に、前記弁体（３）の下降作動時にその弁体（３）の周縁部に当接してその弁体（３）の下降作動を所定位置において規制するストッパー（Ｓ）を装設し、この筒状部（１２）内には、内筒状に形成した弁座金具（４）を、この筒状部（１２）の前記上方の開放口から挿入して上下に摺動自在に嵌装し、その弁座金具（４）の上端縁に前記弁体（３）の下面の弾性資材よりなるシート（３０）に対向する弁座（４０）を環状に形成するとともにそれの内側に逃し口（ｂ）を形成し、筒状部（１２）の底壁（１２０）又は底壁に一体的に形成した取付金具と該弁座金具（４）の支持金具（４２）との間に、弁座金具（４）を上昇側に付勢する弱いバネ（ａ）を介装し、この弁座金具（４）の上昇作動のエンドを規制する調節棒（６）を、前記バネケース（５）または筒状部（１２）または弁箱（１）内に設ける取付金具に、上下の調節自在に組付け、この調節棒の上下調節により弁座金具（４）の上昇作動のエンド位置の変更を行わせて設定圧力の調整を行うことを特徴とする給湯施設用の圧力逃し弁。
【請求項２】
ボイラーの缶体などの２次側に接続する接続管（１０）と圧力を外部に逃す排水管（１１）とを具備する弁箱（１）の上面側には、前記接続管（１０）と連通する２次室（ｗ）を形成し、その２次室（ｗ）の外面側に２次室（ｗ）内の圧力を感知して上下に作動するダイヤフラム（２）を組付け、そのダイヤフラム（２）の下面側に弁体（３）を該ダイヤフラム（２）と共に上下に動くよう一体または一体的に設け、その弁体（３）の下面側に弾性資材よりなるシート（３０）を装設し、ダイヤフラム（２）の外面側に配位して弁箱（１）に組付けるバネケース（５）内には、前記弁体（３）をバネ圧により下方に押し下げる圧力設定用のバネ（５０）を配設し、この弁体（３）の下方位置における弁箱（１）の上面側に、上端側が開放口により前記２次室（ｗ）に連通し下端側が底壁に設けた連通口を介して排水管（１１）に連通する上下方向の筒状部（１２）を装設し、その筒状部（１２）の上方の開放口の周縁部に、前記弁体（３）の下降作動時にその弁体（３）の周縁部に当接してその弁体（３）の下降作動を所定位置において規制するストッパー（Ｓ）を装設し、この筒状部（１２）内には、内筒状に形成した弁座金具（４）を、この筒状部（１２）の前記上方の開放口から挿入して上下に摺動自在に嵌装し、この弁座金具（４）の上端縁に前記弁体（３）の下面の弾性資材よりなるシート（３０）に対向する弁座（４０）を環状に形成するとともにそれの内側に逃し口（ｂ）を形成し、筒状部（１２）の底壁（１２０）又は底壁に一体的に形成した取付金具と該弁座金具（４）の支持金具（４２）との間に、弁座金具（４）を上昇側に付勢する弱いバネ（ａ）を介装し、バネケース（５）には、そのバネケース（５）を上下に貫通する調節棒（６）を、バネケース（５）に対して上下の調節自在に組付け、その調節棒（６）の下端側を、ダイヤフラム（２）に組付けた弁体（３）の中心部位に開設せる透孔に水密を保持せしめて摺動自在に嵌挿し、その調節棒（６）の下端が上昇してくる弁座金具（４）に当接してそれの上昇作動のエンドを規制するようにして、この調節棒の上下調節により弁座金具（４）の上昇作動のエンド位置の変更を行わせて設定圧力の調整を行うことを特徴とする給湯施設用の圧力逃し弁。
【請求項３】
ボイラーの缶体などの２次側に接続する接続管（１０）と圧力を外部に逃す排水管（１１）とを具備する弁箱（１）の上面側には、前記接続管（１０）と連通する２次室（ｗ）を形成し、その２次室（ｗ）の外面側に２次室（ｗ）内の圧力を感知して上下に作動するダイヤフラム（２）を組付け、そのダイヤフラム（２）の下面側に弁体（３）を該ダイヤフラム（２）と共に上下に動くよう一体または一体的に設け、その弁体（３）の下面側に弾性資材よりなるシート（３０）を装設し、ダイヤフラム（２）の外面側に配位して弁箱（１）に組付けるバネケース（５）内には、前記弁体（３）をバネ圧により下方に押し下げる圧力設定用のバネ（５０）を配設し、この弁体（３）の下方位置における弁箱（１）の上面側に、上端側が開放口により前記２次室（ｗ）に連通し下端側が底壁（１２０）に設けた連通口（１２ａ）を介して排水管（１１）に連通する上下方向の筒状部（１２）を装設し、その筒状部（１２）の上方の開放口の周縁部に、前記弁体（３）の下降作動時にその弁体（３）の周縁部に当接してその弁体（３）の下降作動を所定位置において規制するストッパー（Ｓ）を装設し、この筒状部（１２）内には、内筒状に形成した弁座金具（４）を、この筒状部（１２）の前記上方の開放口から挿入して上下に摺動自在に嵌装し、この弁座金具（４）の上端縁に前記弁体の下面の弾性資材よりなるシート（３０）に対向する弁座（４０）を環状に形成するとともにそれの内側に逃し口（ｂ）を形成し、筒状部（１２）の底壁（１２０）又は底壁に一体的に形成した取付金具と該弁座金具（４）の支持金具（４２）との間に、弁座金具（４）を上昇側に付勢する弱いバネ（ａ）を介装し、この弁座金具（４）の上昇作動のエンドを規制する調節棒（６）を、弁座金具（４）内に配して、それの上端側を弁座金具（４）の支持金具（４２）に開設した透孔に上下の摺動自在に嵌挿し、その透孔から上方に突出する上端部に前記支持金具（４２）に対し衝合する規制部材（６０）を設け、下端側を、前記筒状部（１２）の底壁（１２０）または筒状部（１２）の下方における弁箱（１）内に設ける取付金具に上下の調節自在に組付け、この調節棒の上下調節により弁座金具（４）の上昇作動のエンド位置の変更を行わせて設定圧力の調整を行うことを特徴とする給湯施設用の圧力逃し弁。
【発明の詳細な説明】
【０００１】
【発明の属する技術分野】
本発明は、給湯施設のボイラーの缶体などに組付ける圧力逃し弁についての改良に関する。
【０００２】
【従来の技術】
従来の給湯施設のボイラーの缶体などに組付ける圧力逃し弁Ａは、通常、図１に示している如く、弁箱１の上面側に、ボイラーの缶体などの２次側に接続するよう該弁箱１に設けた接続管１０と連通する２次室ｗを形成して、そこに、その２次室ｗ内の水圧を感知して上下に作動するダイヤフラム２を組付け、そのダイヤフラム２の下面側に、そのダイヤフラム２と共に上下に動く弁体３を、そのダイヤフラムの素材によりそれと一体に連続させて成形して装設するか、別体に形成してダイヤフラム２に一体的に組付けて装設し、その弁体３の下面側に弾性資材よりなるシート３０を設け、弁箱１の前記弁体３の下方に、弁箱１に設けた排水管１１と通ずる筒状部１２を設け、この筒状部１２の内側に筒状に形成した弁座金具４を上下に摺動自在に嵌装して、これを弱いバネａにより上方に押し上げ、その上昇作動を、弁座金具４の外周に設けた拡径部４ａと筒状部１２に設けた突起部１３との衝合により規制し、かつ、この弁座金具４の上端側に前述の弁体３に設けた環状のシート３０に対向する環状の弁座４０を形成し、それの内側に上下に透通する逃し口ｂを形成し、弁箱１の上面側の前記ダイヤフラム２の外面側には、バネケース５を組付けて、これにダイヤフラム２に装設した弁体３を弁座４０に向けて押し下げる圧力設定用のバネ５０を組付け、さらにそのバネ５０のバネ圧を調節する調節ネジ５１を組付けることで構成してある。
【０００３】
そして、これにより、２次室ｗ側に異常な圧力が生じたときには、ダイヤフラム２が上昇することで弁座金具４に設けた弁座４０から弁体３が上方に離れて逃し口ｂが開放して圧力を外部に逃すようになり、常態時には、バネ５０により押し下げられた弁体３の周縁部分の下面が筒状部１２の上面に設けたストッパーＳに突き当たることで弁体３の下降作動が規制され、この弁体３の環状のシート３０に弱いバネａのバネ圧で押し上げられる弁座４０が衝合する状態となって、弾性資材よりなるシート３０の損傷を防止するようにしている。
【０００４】
【発明が解決しようとする課題】
上述の従前手段は、上下可動に弁箱１内に組込む筒状の弁座金具４の上昇作動を所定の位置に規制するのに、弁座金具４のボディに形成した拡径部４ａが、弁箱１の筒状部１２の内周面の上端側に設けた突起部１３に衝合することで行なうようにすることから、弁箱１に対しこの筒状の弁座金具４を組付けるのに、弁箱１の下方から挿し込むようにしなければならず、この弁座金具４の他の弁体３・ダイヤフラム２等の他の部品を弁箱１の上面側から組付けるようにすることから組付ける時間と手間がかかる問題がある。
【０００５】
また、設定圧力の調整を、力の弱いバネ５０のバネ圧を強弱に調整して行なうことから、その調整に力が必要なことと、微調整がしにくい問題がある。
【０００６】
本発明は、従来手段に生じている上述の問題を解消せしめるためになされたものであって、弁座を、弁箱に上下可動に組付けて弱いバネにより上昇側に付勢する筒状の弁座金具の上端側に形設して、この弁座が、弁箱の上面側に２次圧により作動するダイヤフラムと共に上下に動くよう組付ける弁体の下面の弾性資材よりなるシートに衝合していくようにしながら、この弁座を形設する弁座金具の組付けが、弁体等の他の部品と共に弁箱の上面側からも行なえるようにして組付けを容易にし、かつ、設定圧力の調整が、圧力設定用の強い力のバネの制約を受けずに、僅かな力で行なえるようにして、微調整が適確に行なえるようにする新たな手段を提供することを目的とする。
【０００７】
【課題を解決するための手段】
そして、本発明においては、上述の目的を達成するための手段として、ボイラーの缶体などの２次側に接続する接続管１０と圧力を外部に逃す排水管１１とを具備する弁箱１の上面側には、前記接続管１０と連通する２次室ｗを形成し、その２次室の外面側に該２次室ｗ内の圧力を感知して上下に作動するダイヤフラム２を組付け、そのダイヤフラム２の下面側に弁体３を該ダイヤフラム２と共に上下に動くよう一体または一体的に設け、その弁体３の下面側に、弾性資材よりなるシート３０を装設し、ダイヤフラム２の外面側に配位して弁箱１に組付けるバネケース５内には、前記弁体３をバネ圧により下方に押し下げる圧力設定用のバネ５０を配設し、この弁体３の下方位置における弁箱１の上面側に、上端側が開放口により前記２次室ｗに連通し下端側が底壁に設けた連通口１０ａを介して排水管１１に連通する上下方向の筒状部１２を装設し、その筒状部１２の上方の開放口の周縁部に、前記弁体３の下降作動時にその弁体３の周縁部に当接してその弁体３の下降作動を所定位置において規制するストッパーＳを装設し、この筒状部１２内には、内筒状に形成した弁座金具４を、この筒状部１２の前記上方の開放口から挿入して上下に摺動自在に嵌装し、その弁座金具４の上端縁に前記弁体３の下面の弾性資材よりなるシート３０に対向する弁座４０を環状に形成するとともにそれの内側に逃し口ｂを形成し、筒状部１２の底壁１２０又は底壁に一体的に形成した取付金具と該弁座金具４の支持金具４２との間に、弁座金具４を上昇側に付勢する弱いバネａを介装し、この弁座金具４の上昇作動のエンドを規制する調節棒６を、前記バネケース５または筒状部１２または弁箱１内に設ける取付金具に、上下の調節自在に組付け、この調節棒の上下調節により弁座金具４の上昇作動のエンド位置の変更を行わせて設定圧力の調整を行うことを特徴とする給湯施設用の圧力逃し弁を提起する。
【０００８】
また、これに併せて、ボイラーの缶体などの２次側に接続する接続管１０と圧力を外部に逃す排水管１１とを具備する弁箱１の上面側には、前記接続管１０と連通する２次室ｗを形成し、その２次室ｗの外面側に２次室ｗ内の圧力を感知して上下に作動するダイヤフラム２を組付け、そのダイヤフラム２の下面側に弁体３を該ダイヤフラム２と共に上下に動くよう一体または一体的に設け、その弁体３の下面側に弾性資材よりなるシート３０を装設し、ダイヤフラム２の外面側に配位して弁箱１に組付けるバネケース５内には、前記弁体３をバネ圧により下方に押し下げる圧力設定用のバネ５０を配設し、この弁体３の下方位置における弁箱１の上面側に、上端側が開放口により前記２次室ｗに連通し下端側が底壁に設けた連通口を介して排水管１１に連通する上下方向の筒状部１２を装設し、その筒状部１２の上方の開放口の周縁部に、前記弁体３の下降作動時にその弁体３の周縁部に当接してその弁体３の下降作動を所定位置において規制するストッパーＳを装設し、この筒状部１２内には、内筒状に形成した弁座金具４を、この筒状部１２の前記上方の開放口から挿入して上下に摺動自在に嵌装し、この弁座金具４の上端縁に前記弁体３の下面の弾性資材よりなるシート３０に対向する弁座４０を環状に形成するとともにそれの内側に逃し口ｂを形成し、筒状部１２の底壁１２０又は底壁に一体的に形成した取付金具と該弁座金具４の支持金具４２との間に、弁座金具４を上昇側に付勢する弱いバネａを介装し、バネケース５には、そのバネケース５を上下に貫通する調節棒６を、バネケース５に対して上下の調節自在に組付け、その調節棒６の下端側を、ダイヤフラム２に組付けた弁体３の中心部位に開設せる透孔に水密を保持せしめて摺動自在に嵌挿し、その調節棒６の下端が上昇してくる弁座金具４に当接してそれの上昇作動のエンドを規制するようにして、この調節棒の上下調節により弁座金具４の上昇作動のエンド位置の変更を行わせて設定圧力の調整を行うことを特徴とする給湯施設用の圧力逃し弁を提起する。
【０００９】
さらに、ボイラーの缶体などの２次側に接続する接続管１０と圧力を外部に逃す排水管１１とを具備する弁箱１の上面側には、前記接続管１０と連通する２次室ｗを形成し、その２次室ｗの外面側に２次室ｗ内の圧力を感知して上下に作動するダイヤフラム２を組付け、そのダイヤフラム２の下面側に弁体３を該ダイヤフラム２と共に上下に動くよう一体または一体的に設け、その弁体３の下面側に弾性資材よりなるシート３０を装設し、ダイヤフラム２の外面側に配位して弁箱１に組付けるバネケース５内には、前記弁体３をバネ圧により下方に押し下げる圧力設定用のバネ５０を配設し、この弁体３の下方位置における弁箱１の上面側に、上端側が開放口により前記２次室ｗに連通し下端側が底壁１２０に設けた連通口１２ａを介して排水管１１に連通する上下方向の筒状部１２を装設し、その筒状部１２の上方の開放口の周縁部に、前記弁体３の下降作動時にその弁体３の周縁部に当接してその弁体３の下降作動を所定位置において規制するストッパーＳを装設し、この筒状部１２内には、内筒状に形成した弁座金具４を、この筒状部１２の前記上方の開放口から挿入して上下に摺動自在に嵌装し、この弁座金具４の上端縁に前記弁体の下面の弾性資材よりなるシート３０に対向する弁座４０を環状に形成するとともにそれの内側に逃し口ｂを形成し、筒状部１２の底壁１２０又は底壁に一体的に形成した取付金具と該弁座金具４の支持金具４２との間に、弁座金具４を上昇側に付勢する弱いバネａを介装し、この弁座金具４の上昇作動のエンドを規制する調節棒６を、弁座金具４内に配して、それの上端側を弁座金具４の支持金具４２に開設した透孔に上下の摺動自在に嵌挿し、その透孔から上方に突出する上端部に前記支持金具４２に対し衝合する規制部材６０を設け、下端側を、前記筒状部１２の底壁１２０または筒状部１２の下方における弁箱１内に設ける取付金具に上下の調節自在に組付け、この調節棒の上下調節により弁座金具４の上昇作動のエンド位置の変更を行わせて設定圧力の調整を行うことを特徴とする給湯施設用の圧力逃し弁を提起するものである。
【００１０】
【発明の実施の形態】
本発明においては、弁箱に、ボイラーの缶体などの２次側に接続する接続管と圧力を外部に逃すための排水管とを具備せしめ、その弁箱の上面側に、前記接続管と連通する２次室ｗを形成し、その２次室の外面側に、その２次室内の圧力を感知して上下に作動するダイヤフラムを組付け、それの下面側に、それの動きに伴い一緒に上下に動くよう弁体を組付け、それの下面に弾性資材よりなるシートを設け、ダイヤフラムの外面側に配位して弁箱に組付けるバネケース内に設ける圧力設定用のバネによりこの弁体を下方に向けて押し下げる。
【００１１】
弁箱内の、この弁体の下方位置には、上端側の開放口が前述の２次室に連通し下端側が底壁に設けた連通口を介して前述の排水管に連通する上下方向の筒状部を装設し、これの内部に、筒状の弁座金具を水密状態に挿入し、この弁座金具を筒状部の底壁との間に介装した弱いバネにより上方に押し上げ、該弁座金具の上端縁に形成した環状の弁座が、前述の弁体の下面に装設した弾性資材よりなるシートに衝合していくようにし、その環状の弁座の内側を開閉する逃し口に形成する。
【００１２】
筒状部の上方の開放口の周縁部には、前述の圧力設定用のバネにより押し下げられる弁体の周縁部に当接してその弁体の下降作動を所定位置に規制するストッパーを装設しておき、これにより、圧力設定用のバネにより押し下げられた弁体がストッパーに当接して下降作動が規制されたところに、弱いバネで押し上げられる弁座がその弱いバネのバネ圧で衝合していくようにする。
【００１３】
そして、弁箱内または、バネケース内には、筒状の弁座金具の上昇作動のエンドを規制する調節棒を装設し、かつ、この調節棒の弁座金具に対する衝合位置が上下に調節自在となるようにして、この調節棒の上下の調節作動により設定圧力の調整を行うようにする。
【００１４】
この調節棒は、筒状の弁座金具の内部に装設する場合にあっては、弁座金具のバネ受座の中心部位に開設しておく透孔に摺動自在に嵌挿して、下端側に形設しておくねじ部を、筒状部の底壁の中心部位に形設しておくねじ穴または、筒状部の下方における弁箱内に装設しておく取付金具に装設するねじ穴に螺合して弁箱に対し組付け、前記バネ受座から上方に突出する上端側に、バネ受座の上面に衝合する止め輪を嵌装しておいて、排水管内に突出する下端を、下方から排水管内に差し込むなどの工具によりこの調節棒を回転させることで上下に動かし、止め輪の高さ位置に変更することで弁座金具の上昇作動のエンド位置の変更を行なわすようにする。
【００１５】
また、この調節棒を弁箱の上面側に組付けるバネケース側に設ける場合にあっては、バネケースの上部又はバネケースに一体的な金具に上端側を螺合して、下端側を、ダイヤフラムに組付けた弁体の中心部位に開設しておく透孔に、水密を保持せしめて摺動自在に嵌挿して、バネケースの上方に突出する上端部を回転操作することで、下端が弁体の下面側に出没するようにする。
【００１６】
この場合、バネケースの上部には、調節ねじ筒を螺合して、それの内腔に調節棒を摺動自在に嵌挿し、下端側を弁体に設けておく透孔に水密を保持せしめて摺動自在に嵌挿し、かつ、この調節棒の周面に規制部材を嵌装し、この規制部材が前記調節ねじ筒に突き当たるようバネで上昇側に付勢し、調節棒を強制的に押し込むことにより弁体を強制的に開弁させる開弁操作部材を兼ねるようになる。
【００１７】
弁体を強制的に開弁するための開弁操作部材は、前述したように、調節棒を筒状の弁座金具の内腔に配設する場合にあっては、バネケースの上面側に操作レバーを設け、それの操作により昇降作動する作動杆を弁体に連繋しておいて、操作レバーの操作により弁体が強制的に吊り上げられて開弁するようにしてよい。
【００１８】
【実施例】
次に実施例を図面に従い詳述する。なお、図面符号は、従前手段のものと同効の構成部材については同一の符号を用いるものとする。
【００１９】
図２は、本発明を実施せる給湯施設用の圧力逃し弁の平面図、図３は同上の縦断側面図で、同図において、１は弁箱、１０はその弁箱１をボイラーの缶体などの２次側に接続する接続管、１１は圧力を外部に逃すよう弁箱１に設けた排水管で、接続管１０にあっては弁箱１の側面に設けられ、排水管１１にあっては弁箱１の底面側に設けてある。
【００２０】
ｗは弁箱１の上面側に設けた２次室で、前記接続管１０に対して連通口１０ａを介して連通させてある。
【００２１】
２は上記２次室ｗの外面側に２次室ｗ内の水圧を感知して上下に作動するよう弁箱１に組付けたダイヤフラムで、それの周縁部２ａを、弁箱１の上面側に組付けるバネケース５の周縁の鍔部５ａを組付座板として、弁箱１の上面の周縁の組付座に締着することで弁箱１に組付けてある。
【００２２】
３はこのダイヤフラム２の下面側に組込んだ弁体で、ダイヤフラム２を形成する素材によりダイヤフラム２に一体に成形してあり、それの下面側には、ゴム等の弾性資材よりなるシート３０が、下面視において環状に装設してある。
【００２３】
５０はこの弁体３を２次室ｗ内の水圧に対向させて下方に押し下げるよう前記バネケース５内に組込んだ圧力設定用のバネで、ダイヤフラム２の外面側に設けたバネ受座３１とバネケース５の天井部の内面との間に張設してある。
【００２４】
１２は前記弁体３の下方に配位して弁箱１内に設けた上下方向の筒状部で、底部側には排水管１１に対して連通する連通口１２ａを設けた底壁１２０が設けてある。そして、この筒状部１２の上方の開放口の周縁部位には、弁体３の、圧力設定用のバネ５０による下降作動を一定の位置においてストップさせるよう規制するストッパーＳが形成してある。
【００２５】
弁体３には、それが前述の如く圧力設定用のバネ５０により下降していくとき、所定位置において上述のストッパーＳに当接する衝合部が、下面側の周縁部に設けられる。この衝合部には、ストッパーＳと当接した状態時において、筒状部１２の上方の開放口の周縁部位を弁体３の外に連通させる切欠溝３２が形成されている。
【００２６】
４は上述の筒状部１２の内腔に嵌挿した弁座金具で、円筒状に形成してあって、上端縁に前述の弁体３の下面の弾性資材よりなるシート３０に対向する環状の弁座４０が形設してあり、その環状の弁座４０の内側に逃し口ｂに形成している。
【００２７】
そして、この弁座金具４は、筒状部１２に水密状態で筒状部１２内に上下に摺動自在に嵌挿され、それの外周面と筒状部１２の内周壁との間には、Ｏリング４１が介装されて、この間の水密が保持されている。
【００２８】
ａは上述の弁座金具４を上方に押し上げる弱いバネで、弁座金具４の内腔に設けた支持金具４２と筒状部１２の底壁１２０との間に張設してある。
【００２９】
６はこのバネａによる弁座金具４の上昇作動を所望位置において規制して設定圧力を調整する調節棒で、弁座金具４の中心部位に配位して、下端部を、筒状部１２の底壁１２０に設けたねじ穴１２１に螺合して、回転により昇降するよう弁箱１に組付け、上端側を、弁座金具４の支持金具４２の中心部位に開設した透孔に上下の摺動自在に嵌挿して、その透孔から上方に突出する上端側に、その透孔より大径のＥリング等の規制部材６０を嵌装して、バネａにより押し上げられる弁座金具４を、それの支持金具４２の上面がこの規制部材６０に当接したところでストップさせるようにしてある。そして、このストップさせる位置が、排水管１１からドライバー等の工具を差し込んで、調節棒６の下端部を回転させて調節棒６を昇降させることで変更調節できるようにしてある。
【００３０】
７は手動操作により弁体３を強制的に開弁作動させる操作部材で、バネケース５の上面に、上下可動に設けた支点軸７０中心に起伏回動するよう設けてあり、その支点軸７０には、作動杆７１の上端側が軸着連結し、その作動杆７１の下端側が、バネケース５内に貫入して、下端部を弁体３に連結していて、操作部材７を図３にあるように起立させることで、弁体３を吊り上げて開弁させるように作動する。
【００３１】
この実施例装置は、常態においては、衝合部がストッパーＳに当接することで下降作動がストップしている弁体３の下面のシート３０に、バネａにより押し上げられる弁座金具４の上端縁の弁座４０が突き当たることで、図３にあるように逃し口ｂを閉塞した常態を保持する。
【００３２】
この状態において、２次室ｗ内の水圧が上昇してダイヤフラム２が押し上げられると、それにより上昇する弁体３に追従して弁座金具４が上昇することで、引き続き逃し口ｂを閉塞した状態を保持する。
【００３３】
この弁座金具４の追従上昇は、支持金具４２の上面が調節棒６の規制部材６０に衝合して、その位置よりの上昇が規制するまで行なわれる。そして、図５にあるように支持金具４２の上面が規制部材６０に衝合した状態において、２次室ｗ内の水圧がさらに上昇してダイヤフラム２と共に弁体３が上昇することで、弁座４０から弁体３が離れて開弁して逃し口ｂを開放するようになる。
【００３４】
即ち、弁座金具４の上昇作動が調節棒６により規制される状態位置における２次室ｗ内の水圧が開弁する設定圧力に対応するようになり、この設定圧力が調節棒６を昇降させることで調整されるようになる。
【００３５】
また、この実施例装置は、操作部材７を操作して作動杆７１を引き上げることで、図４にあるように強制的に開弁する。
【００３６】
次に図６乃至図９は別の実施例を示す。この実施例は、調節棒６を、弁箱１の上面側に組付けるバネケース５の側に設けた例であり、この点を除いた構成は前述の図２乃至図５に示している実施例と変わりがない。
【００３７】
即ち、弁箱１には、側面に接続管１０を設け、底面に排水管１１を設け、上面側には接続管１０と連通口１０ａを介して連通する２次室ｗを形成し、この２次室ｗの外面側に、ダイヤフラム２を組付けて、それの下面側に弁体３を装設し、その弁体３を弁箱１の上面側に組付けるバネケース５内に装設した圧力設定用のバネ５０により下方に押し下げる。
【００３８】
そして、弁箱１の胴部には、前記弁体３の下方に位置する部位に、上下方向に透通する筒状部１２を、連通口１２ａのある底壁１２０を具備する形態に形成して、それの上方の開放口の周縁部に弁体３の周縁部に形設する衝合部と当接するストッパーＳを形成し、この筒状部１２内には、上方の開放口から筒状に形成した弁座金具４を装入して、弱いバネａにより上方に押し上げ、これの上端縁に、弁体３の下面に弾性資材により装設するシート３０と対向する環状の弁座４０を形設することについては、前述の実施例と同様に構成してある。
【００３９】
しかし、バネケース５の頂部には、筒状に形成した調節ネジ８が、それの外周面に設けたネジ部８０により螺合してあって、これの内腔に調節棒６が上下に摺動自在に嵌挿してある。
【００４０】
そして、この調節棒６の下端側は、バネケース５内の中心部位を貫通して、弁体３の中心部位に装設しておくスリーブ８１内に水密保持部材８２を介して嵌入し、下端がこのスリーブ８１の下方の開放口から、その下方に位置する弁座金具４に対して出没するようにしてある。
【００４１】
そしてまた、この調節棒６は、それの胴部の中間部位に、前述の調節ネジ８の下面に衝合する規制部材６０が嵌装してあって、これとダイヤフラム２の上面に設けたバネ受座３１との間にバネｃを張設して、常態において、この規制部材６０が調節ネジ８の下面に突き当たった位置に保定されるようにしてあり、かつ、調節ネジ８から上方に突出する上端には、押込み操作用の操作部材７が取付けてある。
【００４２】
この実施例は、常態においては、弁体３および弁座金具４が図７に示す状態位置に保持されて、弁座金具４の上端縁の弁座４０の内側に形成されている逃し口ｂを閉塞状態に保持する。
【００４３】
この状態から、２次室ｗ内の水圧の上昇でダイヤフラム２と共に弁体３が上昇すると、これにより調節棒６の下端がスリーブ８１の下方の開放口から次第に下方に突出してきて、弁体３に追従して上昇してくる弁座金具４の支持金具４２の上面に衝合するようになる。
【００４４】
この衝合が行なわれた状態からさらに水圧の上昇で弁体３が上昇することで、図８に示しているように弁体３下面の環状のシート３０が弁座４０から離れて逃し口ｂを開放する開弁状態となる。そして、この開弁状態となるときの２次室ｗ内の水圧が設定圧力となるが、その設定圧力は、調節ネジ８を回して調節棒６を昇降調節することで調整されるようになる。
【００４５】
また、図７にある状態時において、操作部材７をバネｃのバネ圧に抗して下方に押し込めば、弁座金具４と共に弁座４０が図９にあるように下方に動いて強制開弁が行なわれる。
【００４６】
【発明の効果】
以上説明したように、本発明による給湯施設用の圧力逃し弁は、弁箱１の上面側に２次室ｗ内の圧力とその圧力に対向するバネ５０により上下に作動するよう組付けるダイヤフラム２、およびそれと共に上下に動くよう組付ける弁体３、およびその弁体３に対し上下可動に対向させる筒状の弁座金具４、ならびにその弁座金具４の上端縁に形成した弁座４０を弁体３下面の弾性資材よりなるシート３０に当接させるための弱いバネａ等が、弁箱１に対し上方から組付けられるので、これら部品の組付けが容易になる。そして、設定圧力の調整が、ダイヤフラム２を２次室ｗ内の圧力に対向させて下方に押し下げるバネ５の影響を受けない調節棒６を上下に動かすことで行なえるので、僅かな力で設定圧力の微調整が適確に行なえるようになる。
【図面の簡単な説明】
【図１】従前の給湯施設用の圧力逃し弁の縦断正面図である。
【図２】本発明を実施せる給湯施設用の圧力逃し弁の平面図である。
【図３】同上圧力逃し弁の縦断正面図である。
【図４】同上圧力逃し弁の強制開弁した状態時の縦断正面図である。
【図５】同上圧力逃し弁の作用の説明図である。
【図６】同上圧力逃し弁の別の実施例の平面図である。
【図７】同上実施例の縦断正面図である。
【図８】同上実施例の作用の説明図である。
【図９】同上実施例の強制開弁した状態の説明図である。
【符号の説明】
Ａ…圧力逃し弁、Ｓ…ストッパー、ａ…弱いバネ、ｂ…逃し口、ｃ…強いバネ、ｗ…２次室、１…弁箱、１０…接続管、１０ａ…連通口、１１…排水管、１２…筒状部、１２ａ…連通口、１２０…底壁、１２１…ねじ穴、１３…突起部、２…ダイヤフナム、２ａ…周縁部、３…弁体、３０…シート、３１…バネ受座、３２…切欠溝、４…弁座金具、４ａ…拡径部、４０…弁座、４１…Ｏリング、４２…支持金具、５…バネケース、５ａ…鍔部、５０…バネ、５１…調節ネジ、６…調節棒、６０…規制部材、７…操作部材、７０…支点軸、７１…作動杆、８…調節ネジ、８０…ネジ部、８１…スリーブ、８２…水密保持部材。
【図１】
0004255149.tif 000002
【図２】
0004255149.tif 000003
【図３】
0004255149.tif 000004
【図４】
0004255149.tif 000005
【図５】
0004255149.tif 000006
【図６】
0004255149.tif 000007
【図７】
0004255149.tif 000008
【図８】
0004255149.tif 000009
【図９】
0004255149.tif 000010